(57)【特許請求の範囲】
【請求項１】
フォーク差込み口の上下面に位置するデッキボードに、フォーク進入方向リブ及びフォーク直交方向リブが交差するように形成されている合成樹脂製パレットであって、ハンドフォークリフトの前輪のフォーク直交方向リブ間の間隙への落ち込み量を少なくするために、フォーク直交方向リブの両側面に、略三角形状のリブを形成したことを特徴とする合成樹脂製パレット。
【発明の詳細な説明】
【０００１】
【発明の属する技術分野】
本発明は、物品を載置して運搬、保管等に供される合成樹脂製パレットに関するものである。
【０００２】
【従来の技術】
従来、ハンドフォークリフトが挿入可能なフォーク差込み口を有する２方差し或いは４方差しの合成樹脂製パレットが知られている。
【０００３】
【発明が解決しようとする課題】
ハンドフォークリフトの車輪は、合成樹脂製パレットの内部に形成されたリブ上を走行することになるが、従来の合成樹脂製パレットにおいては、ハンドフォークリフトの車輪が、リブ間の間隙に落ち込んで、スムースなハンドフォークリフトの走行が阻害されるという問題があった。
【０００４】
本発明の目的は、上述した従来の合成樹脂製パレットが有する課題を解決することにある。
【０００５】
【課題を解決するための手段】
本発明は、上述した目的を達成するために、フォーク差込み口の上下面に位置するデッキボードに、フォーク進入方向リブ及びフォーク直交方向リブが交差するように形成されている合成樹脂製パレットであって、ハンドフォークリフトの前輪のフォーク直交方向リブ間の間隙への落ち込み量を少なくするために、フォーク直交方向リブの両側面に、略三角形状のリブを形成したものである。
【０００６】
【実施例】
先ず最初に、図１を用いて、一例としての合成樹脂製パレットＰについて説明する。
【０００７】
１は、上部デッキボードであり、２は下部デッキボードであり、上部デッキボード１と下部デッキボード２とは、同一形状に、射出成形等により成形されている。上部デッキボード１と下部デッキボード２とには、一方の相対する辺に沿って平行に形成された端部桁１ａ、２ａと、該端部桁１ａ、２ａに平行で、且つ、中央部に形成された中央桁１ｂ、２ｂとが形成されており、端部桁１ａ、２ａと中央桁１ｂ、２ｂの端面を、それぞれ、溶着接合することにより、合成樹脂製パレットＰが形成されている。そして、端部桁１ａ、２ａと中央桁１ｂ、２ｂとの間には、２つのフォーク差込み口３が形成されており、所謂、２方差しの合成樹脂製パレットＰが形成されている。
【０００８】
フォーク差込み口３の入口部には、フォーク差込み口３へのハンドフォークリフトＦのフォークｆ１の先端部に取着された前輪ｆ２の進入及び退出を容易にするために、傾斜面１ｃ、２ｃが形成されている。本実施例においては、図１或いは図４に示されている状態から、上部デッキボード１を下に、下部デッキボード２を上にしても、使用可能な、所謂、両面使用可能な合成樹脂製パレットＰに形成されているので、上部デッキボード１及び下部デッキボード２の両方のフォーク差込み口３の入口部に傾斜面１ｃ、２ｃが形成されている。
【０００９】
フォーク差込み口３の上下面に位置する上部デッキボード１及び下部デッキボード２には、ハンドフォークリフトＦのフォークｆ１の進入方向に沿ってリブ（以下、単に、フォーク進入方向リブという。）４とハンドフォークリフトＦのフォークｆ１の進入方向に直交するリブ、即ち、フォーク進入方向リブ４に直交するリブ（以下、単に、フォーク直交方向リブという。）５が、互いに交差するように形成されている。
【００１０】
本発明の一実施例においては、図３に示されているように、ハンドフォークリフトＦのフォークｆ１の先端部に取着された前輪ｆ２が載置され、走行する部分に位置するフォーク進入方向リブ４ａの間隔を、前輪ｆ２の幅ｗより狭く構成したものである。このように構成することにより、前輪ｆ２が、フォーク進入方向リブ４ａ上を、恰も、レール上を走行するように走行することができるので、前輪ｆ２が、フォーク進入方向リブ４間或いはフォーク直交方向リブ５間に落ち込んで、ハンドフォークリフトＦのフォークｆ１のフォーク差込み口３への進入及び退出がスムースに行えないというような問題が解決され、ハンドフォークリフトＦのフォークｆ１のフォーク差込み口３への進入及び退出が、スムース、且つ、容易に行える。
【００１１】
上述した実施例においては、ハンドフォークリフトＦのフォークｆ１の先端部に取着された前輪ｆ２が載置され、走行する部分に位置するフォーク進入方向リブ４ａの間隔を、前輪ｆ２の幅ｗより狭く構成した例が示されているが、走行する部分に位置するフォーク進入方向リブ４ａの間隔を狭くする代わりに、フォーク直交方向リブ５の間隔を、ハンドフォークリフトＦのフォークｆ１のフォーク差込み口３の進入及び退出が、スムース、且つ、容易に行えるように、狭くすることもできる。この場合には、いずれにせよ、車輪ｆ２が、フォーク直交方向リブ５間の間隙に落ち込むが、フォーク直交方向リブ５の間隔を狭くすることにより、車輪ｆ２のフォーク直交方向リブ５間の間隙への落ち込み量が少なく、従って、従来の合成樹脂製パレットに比べ、ハンドフォークリフトＦのフォークｆ１のフォーク差込み口３への進入及び退出が、スムース、且つ、容易に行える。
【００１２】
図４に示されている実施例は、上述した実施例のように、フォーク直交方向リブ５の間隔を、ハンドフォークリフトＦのフォークｆ１のフォーク差込み口３への進入及び退出が、スムース、且つ、容易に行えるように、狭くする代わりに、フォーク直交方向リブ５の両側面に、フォークｆ１方向に延びる略三角形状のリブ６を形成し、フォーク直交方向リブ５の間隔を狭めるように構成したものである。このように構成することにより、車輪ｆ２のフォーク直交方向リブ５の間隔への落ち込み量が少なく、従って、従来の合成樹脂製パレットに比べ、ハンドフォークリフトＦのフォークｆ１のフォーク差込み口３への進入及び退出が、スムース、且つ、容易に行える。
【００１３】
なお、２方差しの合成樹脂製パレットを例に用いて、本発明の実施例について説明したが、当然のことながら、本発明の構成を、４方差しの合成樹脂製パレットにも適用することができる。
【００１４】
【発明の効果】
本発明は、以上説明した構成を有しているので、以下に記載する効果を奏するものである。
【００１５】
フォーク進入方向リブの間隔を、ハンドフォークリフトの前輪の幅より狭くしたので、ハンドフォークリフトのフォークのフォーク差込み口への進入及び退出が、スムース、且つ、容易に行える。
【００１６】
フォーク直交方向リブの間隔を狭くしたので、ハンドフォークリフトの前輪のフォーク直交方向リブ間の間隙への落ち込み量を少なくすることができ、従って、ハンドフォークリフトのフォークのフォーク差込み口への進入及び退出が、スムース、且つ、容易に行える。
【００１７】
フォーク直交方向リブの両側面に、略三角形状のリブを形成したので、ハンドフォークリフトの前輪のフォーク直交方向リブ間の間隙への落ち込み量を少なくすることができ、従って、ハンドフォークリフトのフォークのフォーク差込み口への進入及び退出が、スムース、且つ、容易に行える。
【図面の簡単な説明】
【図１】図１は本発明の合成樹脂製パレットの斜視図である。
【図２】図２はハンドフォークリフトを含む図１のＩ−Ｉ線に沿った側断面図である。
【図３】図３はハンドフォークリフトを含む本発明の合成樹脂製パレットの内部平面図である。
【図４】図４は本発明の合成樹脂製パレットの別の実施例の図２と同様の側断面図である。
【符号の説明】
Ｐ・・・・・・・・合成樹脂製パレット
１・・・・・・・・上部デッキボード
２・・・・・・・・下部デッキボード
３・・・・・・・・フォーク差込み口
４・・・・・・・・フォーク進入方向リブ
５・・・・・・・・フォーク直交方向リブ
【図１】
0004059580.tif 000002
【図２】
0004059580.tif 000003
【図３】
0004059580.tif 000004
【図４】
0004059580.tif 000005